(57)【要約】【課題】グリップ部分の温度上昇を抑え、撮影休止中も内部温度を低減させるための放熱を可能にした撮像装置を提供する。【解決手段】本発明の撮像装置は、熱源となる素子（６、７）と、素子（６、７）から発生する熱を放熱する放熱板（４）と、金属製の外装カバー（９）と、鏡筒（２）を覆う閉位置と鏡筒（２）が露出する開位置とに移動可能な金属製のバリアカバー（１１）と、バリアカバー（１１）に設けられた伝熱部材（１３）と、を有し、バリアカバー（１１）が開位置にあるとき、伝熱部材（１３）は外装カバー（９）と当接し、放熱板（４）の熱が外装カバー（９）及び伝熱部材（１３）を介してバリアカバー（１１）へ伝熱されるように構成され、バリアカバー（１１）が閉位置にあるとき、伝熱部材（１３）は放熱板（４）と当接し、放熱板（４）の熱が伝熱部材（１３）を介してバリアカバー（１１）へ伝熱されるように構成されていることを特徴とする。【選択図】図１
2012189842.tif 000002
【特許請求の範囲】
【請求項１】
熱源となる素子と、
前記素子から発生する熱を放熱する放熱板と、
金属製の外装カバーと、
鏡筒を覆う閉位置と前記鏡筒が露出する開位置とに移動可能な金属製のバリアカバーと、
前記バリアカバーに設けられた伝熱部材と、を有し、
前記バリアカバーが前記開位置にあるとき、前記伝熱部材は前記外装カバーと当接し、前記放熱板の熱が前記外装カバー及び前記伝熱部材を介して前記バリアカバーへ伝熱されるように構成され、
前記バリアカバーが前記閉位置にあるとき、前記伝熱部材は前記放熱板と当接し、前記放熱板の熱が前記伝熱部材を介して前記バリアカバーへ伝熱されるように構成されていることを特徴とする撮像装置。
【請求項２】
前記放熱板は、前記バリアカバーが前記開位置にある場合にも前記バリアカバーによって覆われることを特徴とする請求項１に記載の撮像装置。
【請求項３】
前記放熱板と前記バリアカバーの間に空間が設けられ、
前記バリアカバーが前記開位置にあるとき、前記放熱板の熱が前記空間から外部へ放出されることを特徴とする請求項１または２に記載の撮像装置。
【請求項４】
前記伝熱部材と前記外装カバーが接触しないように前記バリアカバーの移動をガイドするガイドレールを更に有することを特徴とする請求項１から３のいずれか１項に記載の撮像装置。
【発明の詳細な説明】
【技術分野】
【０００１】
本発明は、スライドバリア機構を有した撮像装置に関し、特に撮影中および撮影休止中の放熱構造に関するものである。
【背景技術】
【０００２】
近年、デジタルカメラの動画性能が向上したことと、メモリーカードの低価格、高容量化に伴ってハイビジョン動画撮影機能が重視されている。また、撮像素子の画素数が増え、処理スピードが向上したことにより画像処理ＣＰＵの負荷が増える傾向にある。現在、画像処理スピードの向上に伴い、カメラ内部の実装部品、特にメイン基板周辺の温度上昇が顕著である。
【０００３】
一方、レンズ非交換型カメラ等の光学機器においては、非使用時に該光学機器の前面を保護するためにスライドバリア機構を装備しているものが知られている。例えば、特許文献１は、箱状のスライドカバー位置に応じて撮影の可否または撮影条件が変更されるカメラであって、放熱を行うための放熱部材が、カメラ本体と前記箱状のスライドカバーとの間に形成される空間に対して放熱を行う撮像装置を開示している。
【先行技術文献】
【特許文献】
【０００４】
【特許文献１】特開２００５−１８１６３０号公報
【発明の概要】
【発明が解決しようとする課題】
【０００５】
上述する従来のデジタルカメラの場合、画素数も少なく、画像処理ＣＰＵの発熱量も多くなかった。また、撮影時はスライドバリア自体がグリップとなるため温度上昇は問題とはならなかった。
【０００６】
現在、多くのデジタルカメラでは小型化が進み、熱対策が困難となっている。特に、低温やけどを防止するためグリップまわりの温度を低く抑える必要があり、そのために画像処理ＣＰＵ等の発熱を外装カバーに伝えない断熱対策、内部の熱を熱源の無い側に導く銅シートなどを内部に設ける必要があった。
【０００７】
上述の特許文献１に開示された従来技術では、放熱板からの放熱は箱状カバーで覆われた本体内部に対して行われており、通風口が開口していても外部への放熱は十分ではなく、箱状カバー内の空気が上昇した場合、放熱板の効果が低下するという問題があった。また、撮影休止時の内部温度低減という点においても上述の従来技術では問題があった。
【０００８】
そのため、スライドバリアを有したカメラであっても、バリアの裏側に位置する外装カバーは内部の熱により温度が上昇し、バリアを閉じた際に高温となった外装カバーに手が触れる可能性があった。
【０００９】
さらに、断熱を重視した場合、撮影を休止しても内部の熱が外に逃げず、撮影を再開した際に内部温度が高い状態から撮影を開始しなくてはならないという問題があった。
【００１０】
そこで、本発明の目的は、グリップ部分の温度上昇を抑え、撮影休止中も内部温度を低減させるための放熱を可能にした撮像装置を提供することである。
【課題を解決するための手段】
【００１１】
上記目的を達成するために本発明の撮像装置は、熱源となる素子と、前記素子から発生する熱を放熱する放熱板と、金属製の外装カバーと、鏡筒を覆う閉位置と前記鏡筒が露出する開位置とに移動可能な金属製のバリアカバーと、前記バリアカバーに設けられた伝熱部材と、を有し、前記バリアカバーが前記開位置にあるとき、前記伝熱部材は前記外装カバーと当接し、前記放熱板の熱が前記外装カバー及び前記伝熱部材を介して前記バリアカバーへ伝熱されるように構成され、前記バリアカバーが前記閉位置にあるとき、前記伝熱部材は前記放熱板と当接し、前記放熱板の熱が前記伝熱部材を介して前記バリアカバーへ伝熱されるように構成されていることを特徴とする。
【００１２】
本発明に更なる目的又はその他の特徴は、以下、添付図面を参照して説明される好ましい実施例によって明らかにされるであろう。
【発明の効果】
【００１３】
本発明は、スライドバリア機構を有した撮像装置に関し、特に撮影中および撮影休止中の好適な放熱構造を有する撮像装置を提供することができる。
【図面の簡単な説明】
【００１４】
【図１】本発明の実施形態にかかわるデジタルカメラ断面図である。
【図２】本発明に係る実施形態のデジタルカメラの外観を示す正面斜視図である。
【図３】本発明に係る実施形態のデジタルカメラの分解斜視図である。
【図４】スライドバリアが無い状態の本発明に係る実施形態の正面斜視図である。
【図５】本発明に係る実施形態のスライドバリア背面斜視図である。
【図６】スライドバリアが無い状態の本発明に係る実施形態の上面図である。
【発明を実施するための形態】
【００１５】
以下に、本発明の好ましい実施の形態を、添付の図面に基づいて詳細に説明する。図１は、後述する本発明の実施形態にかかわるデジタルカメラ断面図である。
【実施例１】
【００１６】
以下、図１から図６を参照して、本発明の実施例による、デジタルカメラ放熱機構について説明する。
【００１７】
図１および図２において、カメラ本体１は、アルミニウム合金またはステンレス合金などの金属材料などで構成された外装およびスライドバリア３を有する。スライドバリア３は、撮影レンズ鏡筒２を覆う閉位置と撮影レンズ鏡筒２を露出させる開位置を自由に移動可能である。
【００１８】
図２は、本発明に係る実施形態のデジタルカメラの外観を示す正面斜視図であり、図２（ａ）がバリア閉時の状態を示し、図２（ｂ）がバリア開時の状態を示す。
【００１９】
図２（ａ）において、スライドバリア３閉時は撮影レンズ鏡筒２を覆う位置にあって、レンズを人が不用意に触れないようにする為や、ゴミ、ホコリから 保護する役目を果たしている。
【００２０】
カメラ使用時には、スライドバリア３を図２（ｂ）に示すようカメラグリップ側へスライドさせることで電源が入り、撮影レンズ鏡筒２が沈胴位置から撮影可能位置へ突出する構成を採っている。
【００２１】
次に、カメラ本体１の構成について、図３を用いて説明する。
【００２２】
図３は、カメラ本体１の分解斜視図であり、同図において撮影レンズ鏡筒２横には放熱板４とメイン基板５が配置され、撮影時に高温となる画像処理ＣＰＵ６、画像処理回路ＩＣ７等がメイン基板５に実装されている。
【００２３】
画像処理ＣＰＵ６、画像処理回路ＩＣ７等が発生する熱は伝熱シート８ａ、８ｂを介し、放熱板４に伝えられる。
【００２４】
放熱板４は、アルミニウム合金や銅板などの金属材料から構成される板状のものであり、伝熱シート８ａ、８ｂはクッション状の伝熱性が優れた素材で構成されている。
【００２５】
次に、カメラ本体１のフロントカバー９およびスライドバリア３の構成について説明する。図３において、金属製のフロントカバー９の裏面には樹脂製のインナー１０が接着され、両部品によりフロントカバーの外観部が形成される。
【００２６】
インナー１０の一部には放熱板４の露出部４ａが露出するように穴１０ａが開口されている。
【００２７】
また，同じく金属材料で構成されたバリアカバー１１の裏面にも樹脂製のバリアインナー１２が接着されバリアの指掛けを構成するとともに伝熱シート（伝熱部材）１３が直接、バリアカバー１１に取り付け可能となるように穴１２ａが開口している。
【００２８】
図４は、フロントカバー９とインナー１０を貼りつけ、カメラ本体１に取り付けた状態を示した図である。
【００２９】
同図においてフロントカバー９の開口部から露出したインナー１０によりスライドバリア３を摺動自在に保持するためのガイドレール１０ｂが上面２箇所、下面２箇所、それぞれ上下対称形状で対向した位置に設置されている。
【００３０】
またインナー１０に設けた穴１０ａから露出部４ａが露出することにより放熱板４から放出された熱が外部に逃げる構造となっている。
【００３１】
図２（ａ）および図２（ｂ）から分かるように穴１０ａはスライドバリア３が開閉時、常に隠れる位置にあり撮影者が指で触ることができない位置に配置されている。
【００３２】
図５は、スライドバリア３を本体側から見た斜視図であり、バリアカバー１１の背面側には上下４箇所に爪１１ａ、１１ｂが形成され、インナー１０のガイドレール１０ｂにより摺動自在に保持される。
【００３３】
図６は、ガイドレール１０ｂを上面側から見た図である。バリアカバー１１が閉じた時にスライドバリア３がカメラ本体１に密着した位置にくるようにガイドレール１０ｂには、爪１１ａ、１１ｂに相対する位置にそれぞれ閉位置のレール傾斜部１０ｃと１０ｄが形成されている。
【００３４】
反対に、バリアカバー１１を開いた時は、ガイドレール１０ｂには、爪１１ａ、１１ｂに相対する位置にそれぞれ開位置のレール傾斜部１０ｅと１０ｆが形成されている。
【００３５】
また、バリアカバー１１が中間位置にいる時は伝熱シート１３がフロントカバー９に接触しないようにバリアカバー１１が離れた位置を通るようにガイドレールの移動部１０ｇを形成している。
【００３６】
これは、撮影時は放熱板４の露出部４ａの周囲に空間を空けて熱を逃がしやすくするためである。
【００３７】
近年、デジタルカメラは、ハイビジョン動画への対応や画素数の増加などにより処理速度が高速化しており、画像処理ＣＰＵ６や画像処理回路ＩＣ７が発生する熱は外装カバーのグリップ部の温度を上昇させ、そのための放熱と断熱が重要視されている。
【００３８】
また、外装カバーの温度上昇を抑えるために断熱性能を向上させると、動画撮影を中断してカメラの電源を落としても内部温度が下がりにくく、動画撮影を再開したときに内部温度が上昇した状態から使用しなくてはならず不利であった。
【００３９】
本実施形態のデジタルカメラでは上記問題を鑑み、撮影時の放熱と断熱、および撮影中断時の放熱を行う上で好適な放熱機構を、図１を参照して説明する。
【００４０】
図１は、図２（ａ）で示したカメラ本体の断面図Ａ−Ａであり、図１（ａ）がバリア閉時の状態を示し、図１（ｂ）がバリア開時の状態を示す。
【００４１】
図１（ｂ）において、画像処理ＣＰＵ６および画像処理回路ＩＣ７から発せられた熱は伝熱シート８ａ、８ｂを介し、放熱板４に伝わった後、熱はインナー１０によりカメラ前面外装のグリップ部９ａへは伝わらず、撮影レンズ鏡筒２側へ伝わる。
【００４２】
次に、熱はスライドバリア３の裏側に露出した露出部４ａへ到達し、スライドバリア３とインナー１０の間にできた空間Ｖから外部に放出される。
【００４３】
ただし、一部の熱は、インナー１０で断熱しきれず、熱源に近い放熱板と対向した外装部へと伝わるが、撮影時はスライドバリア３が開いているためグリップした手に熱が伝わる心配はない。
【００４４】
しかし、撮影が長時間に及ぶとカメラ前面外装のグリップ部９ａも蓄積された熱により温度が上昇してしまい、スライドバリア３を閉じた際に撮影者が触れる心配があった。
【００４５】
そこで本実施形態のデジタルカメラではバリアカバー１１の裏面に当接した伝熱シート１３の反対側の端面Ｙでフロントカバーのグリップ部９ａに当接させることにより撮影時にグリップ部９ａの熱をバリアカバー１１へ伝熱している。
【００４６】
また、バリアカバー１１の温度上昇に関しては伝熱シート１３の面積で調整可能であり、バリアカバー１１の温度が上がりすぎる心配は無い。
【００４７】
次に、図１（ａ）のスライドバリア３を閉じた時であるが、素子が発熱することはないのでグリップ部９ａが熱くなる心配は無い。
【００４８】
しかし、インナー１０により断熱された内部の熱は多少休止時間を置いても十分に冷えることなく、次の撮影時に温度が高い状態から始めなくてはいけなかった。
【００４９】
そこで、本実施形態のデジタルカメラではバリアカバー１１の裏面に当接し、反対側の端面Ｗで露出部４ａに伝熱シート１３を当接させることにより休止時に放熱板４の熱をバリアカバー１１へ伝熱している。
【００５０】
これにより長時間の撮影により内部温度が上昇した場合でも短い時間で熱を外部に効率よく放出することが可能であり、休止後に動画撮影を再開したとしてもカメラの温度が上がりすぎる心配は無い。
【００５１】
なお、本発明はこれらの実施形態に限定されず、その要旨の範囲内で種々の変形及び変更が可能である。
【産業上の利用可能性】
【００５２】
撮像装置は、撮影用途に適用することができる。
【符号の説明】
【００５３】
１    カメラ本体
２    鏡筒
４    放熱板
６    画像処理ＣＰＵ
７    画像処理回路ＩＣ
９    外装カバー
１１  バリアカバー
１３  伝熱部材
【図１】
2012189842.tif 000003
【図２】
2012189842.tif 000004
【図３】
2012189842.tif 000005
【図４】
2012189842.tif 000006
【図５】
2012189842.tif 000007
【図６】
2012189842.tif 000008